(57)【要約】【課題】  パチンコ機の球受上皿と球受下皿の球抜き孔の開閉状態を知らせ、また、プレイ中と非プレイ中とで報知方法を変える。【解決手段】  球受上皿（１）に第１遮蔽板（３）の開放を検知する第１検知手段（７）、球受下皿（４）に第２遮蔽板（６）の開放を検知する第２検知手段（８）、プレイ確認手段（１１）を設け、上記第１、第２検知手段の検知信号と、プレイ確認手段の確認信号とを受けて、球受上皿の第１球抜き孔、または球受下皿の第２球抜き孔、球受上皿と球受下皿の球抜き孔の両者が開放のときで異なった制御信号を、かつ、プレイ中と非プレイ時に別異の制御信号を出力する第２制御装置（１２）を設け、第１検知手段（７）と第２検知手段（８）とプレイ確認手段（１１）を該制御装置（１２）を介して報知手段（９）に接続する。【選択図】    図２
2005095699.tif 000002
【特許請求の範囲】
【請求項１】
球受上皿（１）の第１球抜き孔（２）を開閉する第１遮蔽板（３）と球受下皿（４）の第２球抜き孔（５）を開閉する第２遮蔽板（６）とを、それぞれ開放位置に保持可能に設けたパチンコ機（Ａ）の球受上皿（１）と球受下皿（４）において、球受上皿（１）に第１遮蔽板（３）が開かれたことを検知する第１検知手段（７）を、また、球受下皿（４）に第２遮蔽板（６）が開かれたことを検知する第２検知手段（８）をそれぞれ設けると共に、パチンコ機でプレイをしているか否かを確認するプレイ確認手段（１１）を設け、上記第１、第２検知手段（７）（８）からの検知信号と、プレイ確認手段（１１）からの確認信号とを受けて、球受上皿（１）の第１球抜き孔（２）のみが開かれているとき、球受下皿（４）の第２球抜き孔（５）のみが開かれているとき、球受上皿（１）と球受下皿（４）の第１、第２球抜き孔（２）（５）の両者が開かれているときとで異なった制御信号を出力し、かつ、プレイ中とプレイしていない場合とでさらに別異の制御信号を出力する第２制御装置（１２）を設け、第１検知手段（７）と第２検知手段（８）及びプレイ確認手段（１１）を該制御装置（１２）を介して開閉状態を知らせる報知手段（９）に接続した球受皿の球抜き孔開閉報知装置を備えたことを特徴とするパチンコ機。
【請求項２】
第１検知手段（７）と第２検知手段（８）からの検知信号と、プレイ確認手段（１１）からの確認信号とに基づき、プレイされていないパチンコ機（Ａ）においては、球受上皿（１）の第１球抜き孔（２）若しくは球受下皿（４）の第２球抜き孔（５）が開かれた状態にあるとき、プレイしようとする人に対してはパチンコ機（Ａ）に設置されている文字又は光による視覚を通して知らせる報知手段（９）を作動し、パチンコホールの係員に対してはパチンコ機（Ａ）の上方に設置されたランプ（２２）、島（Ｃ）の両側上端に設けられたランプ（２３）若しくはパチンコ機（Ａ）の集中制御装置に設けられた表示装置を作動して知らせる球受皿の球抜き孔開閉報知装置を備えた請求項１記載のパチンコ機。
【請求項３】
第１球抜き孔（２）と第２球抜き孔（５）の開閉状態を知らせる報知手段（９）が、パチンコ機（Ａ）若しくはパチンコホールの既存の報知装置である請求項１記載のパチンコ機。
【発明の詳細な説明】
【技術分野】
【０００１】
本発明は、パチンコ機の前面下部に設けられた球受上皿と球受下皿の球抜き孔の開閉状態を知らせる球受皿の球抜き孔開閉報知装置を備えたことを特徴とするパチンコ機に関するものである。
【背景技術】
【０００２】
従来のこの種の開閉報知装置としては、例えば、球受下皿の球抜き孔が開かれ球抜き状態にあると、球抜き検知手段により遮蔽板が球抜き位置にあることを検知し、該検知手段からの出力信号により球受皿や球受皿の一端に設けた球抜き表示装置を点灯させたり、或いは、球抜き表示装置に「開放中」の文字を表示させたりして、球受下皿の球抜き孔が開かれ球抜き状態にあることを知らせるものが提案されている（特許文献１および特許文献２参照）。
【０００３】
【特許文献１】特開平４ー２５３８８０号
【特許文献２】特開平６ー１７８８６０号
【発明の開示】
【発明が解決しようとする課題】
【０００４】
しかしながら、従来の技術で述べたものは、球受下皿の球抜き孔が開かれていることのみを知らせるものであるため、球受上皿の球抜き孔が開かれていること、球受上皿と球受下皿の両者の球抜き孔が開かれていること、さらには、球受上皿の球抜き孔が半開きの状態にあることを知らせることができなかった。
それ故、プレイをしようとする人が、遊戯盤の釘の状態等このパチンコ機がよく出玉するか否か、又、表示用役物や液晶表示装置を見てどんなゲームができるかに気を取られ、球受上皿の球抜き孔が開かれ球抜き状態にあることを見落し、球抜き状態にある球受上皿に持参した球を投入してしまい、投入したパチンコ球がそのまま球受下皿へ流下してしまったり、或いは、球受上皿と球受下皿の両者の球抜き孔が開かれ球抜き状態になっている場合は、球受上皿に投入したパチンコ球が球受下皿に流下し、さらに球受下皿から床に落下し散乱させてしまうという事態が生じる問題点があった。
【０００５】
また、球受上皿において、球抜き孔と遮蔽板との間にパチンコ球が挟まって半開き状態になり、パチンコ球が球発射装置に送られずプレイできない状態にあることを知らせたり、プレイ中に権利発生となり少しでも多くパチンコ球を入賞させたい場合に、同様に球抜き孔と遮蔽板との間にパチンコ球が挟まって半開き状態になり、スムーズにパチンコ球が球発射装置に送られない場合、これをプレイしている人に端的に知らせることができないという問題点があった。
【０００６】
さらに、プレイ中とプレイをしていない場合とで、球受皿の球抜き孔が開かれ球抜き状態にあることを知らせる報知手段を変えることができないため、プレイ中の人に煩わしさを与えない程度の報知の仕方としなければならず、プレイされていないパチンコ機の球受皿が球抜き状態にあることをプレイしようとする人及びパチンコホールの係員に明確に知らせることが困難であった。  
【０００７】
さらにまた、球受皿の球抜き孔が開かれ球抜き状態にあるか否かを球受皿或いは球受皿の一端に設置した専用の球抜き表示装置で知らせるものであるため、球受皿が球抜き状態にあるか否かは各パチンコ機の前に来なければ分かりにくく、パチンコホールの係員は球抜き状態に放置されていないか一台一台見て回る必要があり不便であり、かつ、専用の表示装置を設置していたので、コストも高くなるという問題点もあった。
【０００８】
本発明は、上記問題点に鑑み、球受下皿の球抜き孔が開かれ球抜き状態にあることだけではなく、球受上皿の球抜き孔が開かれ球抜き状態にあること、及び、球受上皿と球受下皿の両者の球抜き孔が開かれ球抜き状態にあることを知らせ、かつ球受上皿の球抜き孔が半開き状態にあることも知らせることができ、また、プレイ中における球抜き孔の開閉状態の報知方法と、プレイしていないときの報知方法とを変えることができるようにし、プレイ中においてはプレイしている人に煩わしさを与えない程度に報知手段を抑え、プレイをしていないパチンコ機においては、プレイをしようとする人及びパチンコホールの係員に球受皿の球抜き孔が開かれ球抜き状態にあることを明確に知らせ、また、開閉状態を知らせる報知装置を新たにパチンコ機若しくはパチンコホールに設置することなく、従来から設置されている各種の報知装置をそのまま利用することによりコストの低減を図った球抜き孔開閉報知装置を備えたパチンコ機を提供することを目的としている。
【課題を解決するための手段】
【０００９】
上記目的を達成するために、本発明の請求項１は、球受上皿１の第１球抜き孔２を開閉する第１遮蔽板３と球受下皿４の第２球抜き孔５を開閉する第２遮蔽板６とを、それぞれ開放位置に保持可能に設けたパチンコ機Ａの球受上皿１と球受下皿４において、球受上皿１に第１遮蔽板３が開かれたことを検知する第１検知手段７を、また、球受下皿４に第２遮蔽板６が開かれたことを検知する第２検知手段８をそれぞれ設けると共に、パチンコ機でプレイをしているか否かを確認するプレイ確認手段１１を設け、上記第１、第２検知手段７、８からの検知信号と、プレイ確認手段１１からの確認信号とを受けて、球受上皿１の第１球抜き孔２のみが開かれているとき、球受下皿４の第２球抜き孔５のみが開かれているとき、球受上皿１と球受下皿４の第１、第２球抜き孔２、５の両者が開かれているときとで異なった制御信号を出力し、かつ、プレイ中とプレイしていない場合とで別異の制御信号を出力する第２制御装置１２を設け、第１検知手段７と第２検知手段８及びプレイ確認手段１１を該制御装置１２を介して開閉状態を知らせる報知手段９に接続する球受皿の球抜き孔開閉報知装置を備えたことを特徴とするパチンコ機である。
【００１０】
本発明の請求項２は、第１検知手段７と第２検知手段８からの検知信号と、プレイ確認手段１１からの確認信号とに基づき、プレイされていないパチンコ機Ａにおいては、球受上皿１の第１球抜き孔２若しくは球受下皿４の第２球抜き孔５が開かれた状態にあるとき、プレイしようとする人に対してはパチンコ機Ａに設置されている文字又は光による視覚を通して知らせる報知手段９を作動し、パチンコホールの係員に対してはパチンコ機Ａの上方に設置されたランプ２２、島Ｃの両側上端に設けられたランプ２３若しくはパチンコ機Ａの集中制御装置に設けられた表示装置を作動して知らせる球受皿の球抜き孔開閉報知装置を備えた請求項１記載のパチンコ機である。
【００１１】
本発明の請求項３は、第１球抜き孔２と第２球抜き孔５の開閉状態を知らせる報知手段９が、パチンコ機Ａ若しくはパチンコホールの既存の報知装置である請求項１記載のパチンコ機である。
【発明の効果】
【００１２】
本発明の請求項１のパチンコ機は、球受上皿の第１球抜き孔が開かれていること、球受下皿の第２球抜き孔が開かれていること、球受上皿と球受下皿の両者の球抜き孔が開かれていることを知らせることができるので、プレイをしようとする人が、球抜き状態にある球受上皿に持参した球を投入してしまい、投入したパチンコ球がそのまま球受下皿へ流下させてしまうことがなく、また、球受下皿から床に落下し散乱させてしまうという事態を防止することができる。そして、球受上皿と球受下皿の第１、第２球抜き孔の開閉状態を示す検知手段からの信号と、パチンコ機でプレイをしているか否かを確認するプレイ確認手段からの確認信号とに基づいて、報知手段を作動させるものであるから、プレイ中とプレイをしていない場合とで、球受上皿と球受下皿の第１、第２球抜き孔が開かれた状態にあることを知らせる報知手段を変えることができるので、プレイ中においては第１、第２球抜き孔の開操作をしても報知手段が作動しないように設定したり、簡単にその旨を表示するようにし、プレイする人に対して煩わしさを少なくしプレイに集中させることができる。また、プレイ中に球抜き孔が開かれるたびにパチンコホールの係員もパチンコ機を見回る必要がない。さらにプレイされていないパチンコ機においては、球受上皿と球受下皿が球抜き状態にあることを積極的にアピールするように報知手段を作動させることができるので、プレイしようとする人及びパチンコホールの係員に明確に知らせることができる。
【００１３】
請求項２の発明は、プレイしていないパチンコ機が球抜き状態に報知されていることを知らせる方法として、プレイしようとしてパチンコ機を選んでいる人に対しては文字、光により視覚を通して知らせることができるので、そのパチンコ機に隣接するパチンコ機や周辺のパチンコ機でプレイしている人に煩わしさを与えることがなく、また、パチンコホールの係員にはパチンコ機上方のランプ、島の上端のランプ又は集中制御装置の表示装置により知らせるものであるから、速やかに、しかも明確に知らせることができる。
【００１４】
請求項３の発明は、球抜き状態にあることを知らせる報知装置を新たにパチンコ機若しくはパチンコホールに設置することなく、従来から設置されている各種の報知装置をそのまま利用するものであるから、特別に報知手段を設ける必要がなく設置費用が安くできる。また、パチンコ機Ａ若しくはパチンコホールに設けられている報知手段は、元来プレイする人及びパチンコホールの係員によく分かるように設置されているので、この報知手段により球受上皿と球受下皿の球抜き孔の開閉状態をプレイする人及びパチンコホールの係員に知らせるものであるから、球抜き状態にあることを極めて明確に知らせることができる。
【発明を実施するための最良の形態】
【００１５】
本発明はパチンコ機Ａの前面下部に設けたパチンコ球を貯留し、球発射装置に供給する球受上皿１の球発射装置に至る球供給通路１３に第１球抜き孔２を備え、この球抜き孔２を開閉する第１遮蔽板３が開位置に係止保持できるように設けられている。そして、操作部１４により開閉操作すると、第１遮蔽板３が左右にスライドして第１球抜き孔２を開閉し、これを検知する第１検知手段７が設置され、第１球抜き孔２が開かれたときは、球抜き状態となりパチンコ球は流下通路１５を通って球受下皿４に流下し、同時に第１検知手段７より第１球抜き孔２が開かれた旨の信号が出される。上記第１検知手段７は第１遮蔽板３が第１球抜き孔２を少し開いた状態をも検知できるように設置されている。
また、パチンコ球を貯留する球受下皿４には、底部に第２球抜き孔５が穿設され、該球抜き孔５を開閉する第２遮蔽板６が開位置に係止保持できるよう設置され、球抜き操作装置１６を開閉操作すると第２遮蔽板６が左右にスライドして第２球抜き孔５を開閉し、これを検知する第２検知手段８が設けられている。そして、第２球抜き孔５が開かれると球受下皿４の球抜きができ、同時に第２検知手段８より球受下皿４が球抜き状態になった旨の信号を出力する。
【００１６】
第１、第２検知手段７、８としては、光センサー１７、１８を使用し、光センサーからの上記検知信号が、パチンコ機Ａ若しくはパチンコホールの既存の視覚又は聴覚を通して知らせる報知手段９を作動し、球受上皿１の第１球抜き孔２と球受下皿４の第２球抜き孔５の開閉状態を知らせるものである。
【００１７】
次に、第１制御装置１０は、第１検知手段７と第２検知手段８からの検知信号が入力されると、球受上皿１の第１球抜き孔２のみが開かれているとき、球受下皿４の第２球抜き孔５のみが開かれているとき、球受上皿１と球受下皿４の第１、第２球抜き孔２、５の両者が開かれているときとで異なる制御信号を出力するマイクロコンピュータからなり、図１に示す様に、第１検知手段７と第２検知手段８が該制御装置１０の入力側に接続され、出力側に各報知手段９が接続されている。
そして、第１、第２検知手段７、８が球受上皿１と球受下皿４の第１、第２球抜き孔２、５の開閉状態を検知すると、その検知信号が第１制御装置１０に入力され、該制御装置１０からの出力信号により、報知手段９として使用するプリペイドカードの残金を表示する残金表示装置１９、表示用役物或いは液晶表示装置２０に球受上皿１の第１球抜き孔２のみが開かれるか、又は半開きの状態にあるとき「上皿ＯＰＥＮ」「上皿開放中」と表示し、球受下皿４の第２球抜き孔５のみが開かれると「下皿ＯＰＥＮ」「下皿開放中」と表示され、第１、第２球抜き孔２、５の両者が開かれると「上下皿ＯＰＥＮ」「上下皿開放中」等の文字を表示する。或いは、パチンコ機Ａの遊戯盤Ｂの発光表示装置２１、パチンコホールの係員に知らせるための報知ランプ２２、２３等では、第１球抜き孔２が開かれているときと、第２球抜き孔５が開かれているときと、第１、第２球抜き孔２、５の両者が開かれているときとで、点滅スピードを変えたり、色や明るさを変えたりする。
また、パチンコ機やパチンコホールに設置されている音源装置２４を使用する場合は警告音を変えたり、メロディーを変えたりして、球受上皿１の第１球抜き孔２が開かれているのか、球受下皿４の第２球抜き孔５が開かれているのか、或いは、両者が開かれているかを、プレイする人及びパチンコホールの係員に区別して知らせる。
この様に、第１制御装置１０において、各種の制御信号が出力されるように設定することにより、球受上皿１の第１球抜き孔２が開かれているとき、球受下皿４の第２球抜き孔５が開かれているとき、或いは、両者が開かれているときとで、既存の報知手段９を使用してプレイしようとする人及びパチンコホールの係員に、球受皿の開閉状態を明確に知らせることができる。
【００１８】
さらに、上記した第１、第２検知手段７、８の信号に基づいて報知手段９を作動させるものは、プレイ中に球抜き操作をするたびに球抜き状態になったことを知らせる表示がされ、また警告音が発せられることになるので、球発射操作ハンドル２５にプレイ確認手段１１を設け、これによりプレイしていることを確認する信号を出力させ、図２に示す様に前記検知手段７、８とプレイ確認手段１１からの出力信号とにより第２制御装置１２を介して報知手段９に接続し、プレイ中とプレイしていない場合とで別異の制御信号を出力し報知手段９を作動する。
【００１９】
この場合の第２制御装置１２は、前記した制御装置１０と同様各種の制御信号を出力するマイクロコンピュータからなり、第１、第２検知手段７、８とプレイ確認手段１１からの出力信号が入力されると、プレイ中に球抜き操作がされたときは球受上皿１球受下皿４が球抜き状態にあることを知らせる信号を出力しないようにしたり、或いは、プレイ中と非プレイ中とでは報知手段９による報知方法を変えるようにし、プレイ中に球抜き操作をしたときは表示用役物、液晶表示装置２０の上部又は下部に「上皿ＯＰＥＮ」「下皿開放中」「上下皿ＯＰＥＮ」等の文字を表示させたり、小さな警告音を発するように設定する。非プレイ中のパチンコ機においては、表示用役物、液晶表示装置２０に「上皿ＯＰＥＮ」「上下皿ＯＰＥＮ」の文字を大きく表示したり、残金表示装置１９や遊戯盤Ｂの発光表示装置２１を点滅させ、主に視覚を通して知らせる報知手段を作動させ、隣接するパチンコ機でプレイしている人に煩わしさを与えないようにして、プレイしようとパチンコ機を選んでいる人に知らせ、パチンコホールの係員に対しては、パチンコ機Ａの上方に設置されたランプ２２や、島Ｃの両側上端に設けられたランプ２３を、点燈点滅したり、パチンコ機の集中制御装置の表示装置に「上皿ＯＰＥＮ」「上下皿ＯＰＥＮ」の文字を表示するようになし、すみやかに知らせるようにする。又、第１、第２球抜き孔２、５の開閉状態を警告音を発することにより知らせることもできるが、警告音で知らせる方法では、隣接するパチンコ機でプレイする人に煩わしさを与えるので、一定時間ごとに警告音を発するようにしたり、音量を所定時間ごとに上げ下げして、できるだけ煩わしさを与えないように設定する。
【００２０】
上記のように設定した制御装置１２を使用すると、プレイがされていないパチンコ機Ａにおいては、球受上皿１若しくは球受下皿４が球抜き状態に放置されている場合、報知手段９によりできる限り明確にプレイしようとする人及びパチンコホールの係員に認識させるように積極的な表示とすることができ、一方、プレイ中に球抜き操作がされた場合は、プレイに差し支えない程度に若干控え目に表示するようにし、プレイする人及びパチンコホールの係員に煩わしさを与えないようにすることができる。
【実施例１】
【００２１】
本発明の実施例を図１〜図９を参照して説明する。
図において、１はパチンコ機Ａの前面下部に設けたパチンコ球を貯留し球発射装置に供給する球受上皿で、球発射装置に至る球供給通路１３に第１球抜き孔２が設けられている。１４は該球抜き孔２を開閉操作する操作部で、基端を回動自由に支承された押圧部２６と、該押圧部２６の押圧片２７により押下げられる作動片２８を有する作動杆２９が枢軸３０を支点として回動するように設けられ、作動杆２９の下部には楕円形の透孔３１が穿設されている。３２は第１球抜き孔２を開閉する第１遮蔽板３に連設した遮蔽部材で、バネ３３により第１球抜き孔２を閉止する方向（図示右方向）に付勢され、該遮蔽部材３２の下部には摺動杆３５を突設した作動部材３４を設けてある。１７は第１検知手段７である第１光センサーで、発光部と受光部の間に前記遮蔽部材３２の作動部材３４が挿脱するようになっており、第１遮蔽板３が図示左方向に少し移動すると、第１球抜き孔２が開かれた旨の信号が出されるように設けられている。摺動杆３５は前記透孔３１に嵌入され、球抜き操作をする際に、押圧部２６を押し下げると押圧片２７が作動片２８を押し下げ、梃作用で作動杆２９が時計方向に回動し、透孔３１に嵌入されている摺動杆３５が図示左方向に移動し、これに伴って遮蔽部材３２が第１遮蔽板３と共に移動し、第１球抜き孔２が開かれる。また、押圧部２６には係止段部３６が設けられ該押圧部２６が押下げられると、係止段部３６に係止部３７の先端鉤部が係止し、押圧部２６は押下げられた位置即ち第１球抜き孔２が開放された位置に保持されるようになっている。そして、第１球抜き孔２を閉じる場合は、係止部３７の先端部を手前に引き起こして係止段部３６から鉤部を外すことにより、バネ３３の付勢力で遮蔽部材３２及び第１遮蔽板３が右方向に移動し第１球抜き孔２を閉じ、作動杆２９を介して押圧片２７が作動片２８により押し上げられ押圧部２６は元の位置に戻る。
【００２２】
４は球受下皿で底部に第２球抜き孔５が開設された球受皿部３８と前面周縁を囲う縁枠３９とからなっている。１６は上記球受皿部３８の裏面に設置する球抜き操作装置で、第２球抜き孔５の主に開操作をする操作杆４０を前方に突出して一体に形成した第２遮蔽板６と、該遮蔽板６の下面に設けた摺動溝４１を嵌合し左右に摺動案内するガイド部４２と、第２遮蔽板６を第２球抜き孔５を閉止する方向に付勢するバネ４３と、パチンコ球の落下孔４４を開設した枠体４５とから構成されている。
４６は、枠体４５の側壁上面に設けた「開」位置、「閉」位置の係止凹部で、操作杆４０の裏面に設けた係止突起を係脱可能として、第２遮蔽板６を開放位置に保持できるようになっている。
【００２３】
また、枠体４５のガイド部４２の一端には第２光センサー１８が設置され、操作杆４０を図示左方向に操作すると第２遮蔽板６が第２球抜き孔５の下方から脱すると共に、該遮蔽板６の下面に設けた摺動溝４２の摺動壁４７が前記光センサー１８の発光部と受光部との間に挿入され第２光センサー１８がオフし第２球抜き孔５が開かれ球受下皿４が球抜き状態にあることを知らせる検知信号を出力するようになっている。
上記第１、第２光センサー１７、１８を用いた第１、第２検知手段７、８からの検知信号により、第１制御装置１０を介してパチンコ機Ａ若しくはパチンコホールの既存の光又は音による報知手段９を作動し、球受上皿１と球受下皿４が球抜き状態にあること、及び球受上皿１の第１球抜き孔２が半開きの状態にあることをプレイする人やパチンコホールの係員に知らせる。
そして、第１、第２遮蔽板３、６が開放位置にあることを検知する手段としては、光センサー１７、１８の他にマイクロスイッチ、近接スイッチ等を使用してもよい。
【００２４】
また、上記の第１、第２遮蔽板３、６が開かれたことを検知する検知手段とは別に、パチンコ機でプレイをしているか否かを確認するプレイ確認手段１１として、球打操作ハンドル２５に設けられている該ハンドル２５に手を触れると球発射装置が作動するタッチセンサー１１を使用し、タッチセンサー１１からのプレイ確認信号と、第１、第２検知手段７、８からの検知信号とにより、検知手段７、８からの球抜き状態にある旨の信号と、プレイ確認手段１１からのプレイをしていない旨の信号が出力されたとき、パチンコ機Ａ若しくはパチンコホールの既存の報知手段９を作動し、プレイ中に球抜き操作をした場合は報知手段９が作動しないようにして、プレイに集中でき煩わしさを防止し、パチンコホールの係員も球抜き操作がされるたびにパチンコ機を見回る必要をなくし、或いは、プレイに差し支えない程度に報知手段９を作動して球抜き状態にあることを知らせるようにすることもできる。
尚、プレイ確認手段１１としては、タッチセンサーの他、赤外線センサーを使用し、パチンコ機の前にプレイしようとする人が来るとプレイ確認信号を出力するようにすることもできる。
【００２５】
報知手段９はパチンコ機Ａ若しくはパチンコホールにすでに設置されている視覚を通して知らせるもの、聴覚を通して知らせるものを使用し、また、これらの両者を同時に使用して知らせることもできる。
具体的な報知方法としては、例えばＣＲ機においては、プレイしようとする人がプレイを開始する時に最も注視する球受上皿１の中央又は端部に設けたプリペイドカードの残金表示装置１９に「上皿ＯＰＥＮ」「下皿ＯＰＥＮ」「上下皿ＯＰＥＮ」の文字を表示したり、点滅させたり、光が流れるように表示する。
また、プレイしようとする人がパチンコ機Ａを見て回るとき、分かり易いようにパチンコ機Ａの枠に設けたトップレンズ等の発光表示装置２１を点燈したり、点滅させたりする。或いは、プレイする人がパチンコ機Ａを選ぶとき遊戯盤Ｂの釘の状態を見るので、その遊戯盤Ｂに設けられている入賞、玉切れ等を表示する発光表示装置２１を点燈したり点滅させたりする。さらにまた、パチンコ機でできるゲーム内容を表示する表示用役物、液晶表示装置２０、７セグ等はプレイしようとする人が必ず見る所であるから、これらに「上皿ＯＰＥＮ」「下皿ＯＰＥＮ」「上下皿ＯＰＥＮ」の文字又は簡単に「開放中」「ＯＰＥＮ」の文字を表示したり、ゲーム内容を表示する図柄と「上皿ＯＰＥＮ」等の文字を交互に表示したり、文字の替わりに特別な図柄を表示させて球抜き孔の開閉状態を知らせることもできる。
【００２６】
パチンコホールの係員にも球抜き状態であることを知らせるためには、パチンコ機Ａの上方に設置されている係員を呼ぶための報知ランプ２２や島Ｃの上端に設置されている報知ランプ２３を点燈したり点滅させる。
【００２７】
パチンコ機には、入賞、大当り、権利発生等を色々な音、メロディーで客に知らせる音源装置２４がパチンコ機Ａの両側下方又は球受上皿１に設置されているが、この音源装置２４を使用し球抜き状態にあるときは警告音又は特別なメロディーを鳴らす。
そして、上記した視覚により知らせる報知手段と、音による報知手段とを組合せれば一層効果的である。
その他、パチンコホールにおいては、各パチンコ機をコンピュータにより集中管理しているので、その制御装置に設置されている表示装置を使用して球受上皿と球下皿の球抜き孔の開閉状態を知らせることもできる。
【００２８】
発明の実施形態及び実施例には以下の概念が含まれている。
球受上皿（１）の第１球抜き孔（２）を開閉する第１遮蔽板（３）と、球受下皿（４）の第２球抜き孔（５）を開閉する第２遮蔽板（６）とを、それぞれ開放位置に保持可能に設けたパチンコ機（Ａ）の球受上皿（１）と球受下皿（４）において、球受上皿（１）に第１遮蔽板（３）が開かれたことを検知する第１検知手段（７）を、また、球受下皿（４）に第２遮蔽板（６）が開かれたことを検知する第２検知手段（８）をそれぞれ設け、第１、第２検知手段（７）（８）からの検知信号に基づいて、球受上皿（１）の第１球抜き孔（２）と、球受下皿（４）の第２球抜き孔（５）の開閉状態を知らせる報知手段（９）を設けた球受皿の球抜き孔開閉報知装置を備えたことを特徴とするパチンコ機。このパチンコ機によれば、球受上皿の第１球抜き孔が開かれていること、球受下皿の第２球抜き孔が開かれていること、球受上皿と球受下皿の両者の球抜き孔が開かれていることを知らせることができるので、プレイをしようとする人が、球抜き状態にある球受上皿に持参した球を投入してしまい、投入したパチンコ球がそのまま球受下皿へ流下させてしまうことがなく、また、球受下皿から床に落下し散乱させてしまうという事態を防止することができる。また、球受上皿の第１球抜き孔において、球抜き孔と遮蔽板との間にパチンコ球が挟まる等して半開き状態にある場合もこれを知らせることができるので、プレイする人は、パチンコ球が球発射装置に送られない理由、或いは、スムーズにパチンコ球が球発射装置に流れない理由を直ぐに理解でき、不愉快な思いをさせることがない。
【００２９】
前記パチンコ機で、第１検知手段（７）と第２検知手段（８）からの検知信号を受けて、球受上皿（１）の第１球抜き孔（２）のみが開かれた状態にあるとき、球受下皿（４）の第２球抜き孔（５）のみが開かれた状態にあるとき、球受上皿（１）と球受下皿（４）の第１、第２球抜き孔（２）（５）の両者が開かれた状態にあるときとで、異なった制御信号を出力する第１制御装置（１０）を設け、第１検知手段（７）及び第２検知手段（８）を該制御装置（１０）を介して開閉状態を知らせる報知手段（９）に接続した球受皿の球抜き孔開閉報知装置を備えたパチンコ機。このパチンコ機によれば、球受上皿の第１球抜き孔のみが開かれたとき、球受下皿の第２球抜き孔のみが開かれたとき、第１、第２球抜き孔の両者が開かれたとき、それぞれ異なる制御信号により各種の報知手段を作動させることができるので、プレイする人及びパチンコホールの係員に、第１球抜き孔が開かれた状態又は半開きの状態にあること、第２球抜き孔が開かれた状態にあること、第１、第２球抜き孔の両者が開かれた状態にあることを知らせることができる。
【図面の簡単な説明】
【００３０】
【図１】第１、第２検知手段と第１制御装置と各報知手段との関連を示す説明図である。
【図２】第１、第２検知手段とプレイ確認手段と第２制御装置と各報知手段との関連を示す説明図である。
【図３】パチンコ機の正面図である。
【図４】パチンコ機の球受上皿の要部拡大背面図である。
【図５】球受上皿の第１球抜き孔を開閉する操作部の要部拡大斜視図である。
【図６】パチンコ機の球受下皿と球打操作ハンドルの斜視図である。
【図７】閉止状態の球受下皿の球抜き操作装置の平面図である。
【図８】球抜き状態の球受下皿の球抜き操作装置の一部切欠平面図である。
【図９】パチンコ機を多数列設した島の正面概略図である。
【符号の説明】
【００３１】
１…球受上皿、２…第１球抜き孔、３…第１遮蔽板、４…球受下皿、５…第２球抜き孔、６…第２遮蔽板、７…第１検知手段、８…第２検知手段、９…報知手段、１０…第１制御装置、１１…プレイ確認手段、１２…第２制御装置、２２、２３…ランプ、Ａ…パチンコ機、Ｂ…遊戯盤、Ｃ…島。
【図１】
2005095699.tif 000003
【図２】
2005095699.tif 000004
【図３】
2005095699.tif 000005
【図４】
2005095699.tif 000006
【図５】
2005095699.tif 000007
【図６】
2005095699.tif 000008
【図７】
2005095699.tif 000009
【図８】
2005095699.tif 000010
【図９】
2005095699.tif 000011